(57)【要約】  本発明は、衛星測位システムを利用して走行車の位置を測位しながら自律して走行及び作業を行う自律走行車の誘導制御システムであって、前記自律走行車を後進移動させる際に、前記衛星測位システムのアンテナ位置よりも所定距離後方に仮想アンテナ位置を設定し、その仮想アンテナ位置における目標パスからの横方向の偏差を用いてラテラル制御を行うことを特徴とする。これにより、自律走行車の前進移動、旋回、及び、後進移動において、予め設計された目標パスに従った走行を実現できる。
2016178294.tif 000002
【特許請求の範囲】
【請求項１】
衛星測位システムを利用して走行車の位置を測位しながら自律して走行及び作業を行う自律走行車の誘導制御システムであって、
前記自律走行車を後進移動させる際に、前記衛星測位システムのアンテナ位置よりも所定距離後方に仮想アンテナ位置を設定し、その仮想アンテナ位置における目標パスからの横方向の偏差を用いてラテラル制御を行うことを特徴とする自律走行車の誘導制御システム。
【請求項２】
前記自律走行車の誘導制御システムは、
前記仮想アンテナ位置を選択しながら誘導制御信号を前記自律走行車に伝送するアンテナ位置補正モジュールと、
前記目標パスに基づいて前記自律走行車の走行を追跡するための誘導制御信号を生成する自律走行車走行モジュールと、
前記アンテナ位置補正モジュールと接続され、そのラテラル制御を行うラテラル制御モジュールと、
前記自律走行車走行モジュールと接続され、予測される向首角と実際の向首角との差を修正することで前記自律走行車の向首角のずれを制御するヘディング制御モジュールと、
前記ラテラル制御モジュール及びヘディング制御モジュールと接続され、ステアリング制御信号を生成するヨーレート制御モジュールと、を備える請求項１に記載の自律走行車の誘導制御システム。
【請求項３】
前記自律走行車の誘導制御システムは、前記自律走行車走行モジュールと接続され、前記目標パスに含まれる曲線経路の断続性に起因する前記目標パスからの偏差を修正するフィードフォワード制御モジュールをさらに備える請求項２に記載の自律走行車の誘導制御システム。
【請求項４】
前記自律走行車を前進移動させる際に、前記衛星測位システムのアンテナ位置よりも所定距離前方に仮想アンテナ位置を設定し、その仮想アンテナ位置における目標パスからの横方向の偏差を用いてラテラル制御を行う請求項１から３の何れか一項に記載の自律走行車の誘導制御システム。
【請求項５】
前記自律走行車は、目標パスからの横方向の偏差又は向首角の偏差が所定値を超えた場合に、停止され、自律走行を終了する請求項１から４の何れか一項に記載の自律走行車の誘導制御システム。
【請求項６】
前記自律走行車は、遠隔操作によるオーバーライド制御操作によって自律走行を停止可能であり、その停止位置から自律走行を再開可能である請求項１から５の何れか一項に記載の自律走行車の誘導制御システム。  
【発明の詳細な説明】
【技術分野】
【０００１】
本発明は、走行車（自動走行車）を制御するシステムに関し、より詳しくは、自律走行型のロボットトラクタの誘導制御方法に関する。
【背景技術】
【０００２】
自律走行車の技術は、多様性、可能性の両側面において急速に進化している。自律走行車及び自律操縦飛行機は当初、航行用、敵領内でのビデオ監視用等の、軍事目的で開発されたが、近年ではこれに限ることなく、非軍事用の用途に用いられるようになっている。このような非軍事用の自律走行車又は自律操縦飛行機の一例として、デジタルカメラなどのセンサを搭載するための無線操縦飛行機がある。デジタルカメラの映像は無線操縦飛行機から二次ＬＯＳ無線接続を介して地上の基地局で取得される。【０００３】
各構成部品は、ロボット工学及びフィジカルコンピューティングの分野を発展させるためにも用いられている。自律走行車開発の技術水準は、結果的にマイクロエレクトロニクス及び集積回路基板に応用できるとも言える。【０００４】
現状の自律走行車は、誘導信号を誘導システムから受信し、受信した誘導信号に基づいて走行車を制御する制御ユニットを備える。誘導システムは、地上基地若しくは遠隔操作基地に設けられる。制御システムは、誘導用のデータを自律走行車に搭載される制御ユニットに送信する。以前の誘導システムでは、異なる誘導フェーズを用いることはなく、インナーループ内のヨーレート制御に沿ったアウターループ内のラテラル制御又はヘディング制御、若しくは、ヨーレート制御を行わない並列制御（ヘディング制御及びラテラル制御）の何れかを行っていた。
走行車の向首角及び横方向の小さい偏差の両方を制御するための基本的な概念が求められている。現在の技術では、走行車の横方向の偏差を所定値よりも小さい値に維持すること、並びに、より低い向首角の偏差及び安定性が求められる。そのような概念は、例えば最適化された自律農業で見られる。【０００５】
特許文献１には、農業用作業車を目標経路に誤差なく精確に追従させた自律走行を容易に可能とさせる技術が開示されている。特許文献１の技術では、車体の方位を検出するヘディングセンサと、車体の走行位置を認識するＧＰＳセンサを備え、前輪中央位置を車体の目標経路に追従させる自律走行手段と、ＧＰＳセンサの設置位置を目標経路に追従させる自律走行補正手段とを設けることで、目標経路との誤差を小さくしている。
【先行技術文献】
【特許文献】
【０００６】
【特許文献１】特開２００２−３５８１２２号公報
【発明の概要】
【発明が解決しようとする課題】
【０００７】
従来の技術では、自律走行車が前進移動する際に、自律走行車が目標パス上を精確にトレースするための誘導制御方法について展開されていた。しかし、圃場サイズや形状によっては、前後進の切替を頻繁に行う必要がある場合に生じる後進移動時の誘導制御方法については考慮されていなかった。前後進の切替操作が生じるケースとしては、図１７に示すように、（１）畦際での旋回、（２）圃場から出る直前の方向変換、枕地仕上げがあり、特に狭い圃場で作業を行う際には頻繁に生じることが知られている。【０００８】
以上のように、無人走行車や自律型ロボット走行車が、予め定義されて設計された（前進移動、旋回、後進移動を含む）静的パスデータに基づいて独立的に機能するべく走行制御する自動誘導システムが求められている。
【課題を解決するための手段】
【０００９】
本発明は、自律走行車の誘導制御方法に関する。より詳しくは、機能的な操作を自律走行車自身で行う無人走行を容易化した自律走行型のロボットトラクタに関する。例えば、自律走行型のロボットトラクタは、無人走行を容易化するとともに、トラクタによる農作業を自律的に実行するものである。そのようなロボットトラクタの誘導の主たる目的は、一連の耕作作業を完全な自律操作で行うことであり、トラクタの位置を制御し、トラクタを予め定義された経路に従って（種々の作業を行いつつ）移動させることである。
実際の農業に適用する際には、異なる土壌条件及び異なる障害物が存在する耕作領域において横方向の偏差及び進行方向の偏差を低く抑える必要がある。自律操作の間には、オペレータは、耕作条件に基づいて速度及びヒッチ操作を変更することができる。【００１０】
自律走行型のロボットトラクタは、圃場を走行し、電子制御ユニット（ＥＣＵ）に保存されたアルゴリズムに従って機能を発揮する。走行車の作業走行は、ＥＣＵに保存されたパスデータ、及び、ＧＰＳ技術を活用したＧＮＳＳセンサを介して受信された信号に基づいて行われる。つまり、自律誘導は、ロボットトラクタを設計された経路に沿って走行させることができる。【００１１】
本発明の第一態様は、衛星測位システムを利用して走行車の位置を測位しながら自律して走行及び作業を行う自律走行車の誘導制御システムであって、前記自律走行車を後進移動させる際に、前記衛星測位システムのアンテナ位置よりも所定距離後方に仮想アンテナ位置を設定し、その仮想アンテナ位置における目標パスからの横方向の偏差を用いてラテラル制御を行うことを特徴とする。【００１２】
本発明の第一態様に係る好ましい実施形態では、前記自律走行車の誘導制御システムは、前記仮想アンテナ位置を選択しながら誘導制御信号を前記自律走行車に伝送するアンテナ位置補正モジュールと、前記目標パスに基づいて前記自律走行車の走行を追跡するための誘導制御信号を生成する自律走行車走行モジュールと、前記アンテナ位置補正モジュールと接続され、そのラテラル制御を行うラテラル制御モジュールと、前記自律走行車走行モジュールと接続され、予測される向首角と実際の向首角との差を修正することで前記自律走行車の向首角のずれを制御するヘディング制御モジュールと、前記ラテラル制御モジュール及びヘディング制御モジュールと接続され、ステアリング制御信号を生成するヨーレート制御モジュールと、を備える。【００１３】
前記自律走行車の誘導制御システムは、前記自律走行車走行モジュールと接続され、前記目標パスに含まれる曲線経路の断続性に起因する前記目標パスからの偏差を修正するフィードフォワード制御モジュールをさらに備えることが望ましい。【００１４】
本発明の第二態様は、衛星測位システムを利用して走行車の位置を測位しながら自律して走行及び作業を行う自律走行車の誘導制御システムであって、前記自律走行車を前進移動させる際に、前記衛星測位システムのアンテナ位置よりも所定距離前方に仮想アンテナ位置を設定し、その仮想アンテナ位置における目標パスからの横方向の偏差を用いてラテラル制御を行う。【００１５】
本発明の好ましい実施形態では、前記自律走行車は、目標パスからの横方向の偏差又は向首角の偏差が所定値を超えた場合に、停止され、自律走行を終了する。【００１６】
本発明の好ましい実施形態では、前記自律走行車は、遠隔操作によるオーバーライド制御操作によって自律走行を停止可能であり、その停止位置から自律走行を再開可能である。
【発明の効果】
【００１７】
本発明の誘導制御システムによれば、自律走行車の前進移動、旋回、及び、後進移動において、予め設計された目標パスに従った走行を実現できる。【００１８】
上述の技術思想及び本発明の他の特徴は、これに続く詳細な説明に記載され、そこでは添付の図面を参照して説明が行われる。
【図面の簡単な説明】
【００１９】
【図１】自律走行車の一実施形態であるロボットトラクタを示す図である。
【図２】ロボットトラクタのキャビン内の構成を示す図である。
【図３】ロボットトラクタの制御ブロック図である。
【図４】自律誘導システムを構成するモジュールのブロック図である。
【図５】直線経路での自律走行車の軌道を示すグラフである。
【図６】曲線経路での自律走行車の軌道を示すグラフである。
【図７】後進移動時の自律走行車の軌道を示すグラフである。
【図８】全体的な制御方法を示すブロック図である。
【図９】曲線経路の不連続性による経路中の軌道の偏差を示す図である。
【図１０】ＧＮＳＳアンテナの位置補正を示す図である。
【図１１】ＧＮＳＳアンテナの位置補正のフローチャートである。
【図１２】ロボットトラクタの別実施形態を示す図である。
【図１３】ＧＮＳＳアンテナの位置補正の別実施形態を示す図である。
【図１４】ＧＮＳＳアンテナの位置補正の別実施形態のフローチャートである。
【図１５】ＧＮＳＳアンテナの位置補正の別実施形態を示す図である。
【図１６】ロボットトラクタの他の実施形態を示す図である。
【図１７】前後進の切替を頻繁に行う状況を示す図である。
【発明を実施するための形態】
【００２０】
本発明の実施形態は、添付の図面を参照して以下に記載される。しかし、本発明は本実施形態に限定されるものではない。大きさ、形状、配置、個数、及び本発明の装置に含まれる種々の要素の構成については、好適な例を示しているに過ぎず、本発明の範囲を逸脱しない範囲で当業者による様々な改良が可能である。従って、本発明の実施形態は、当業者に対して本発明をより明確に説明するために記載されているに過ぎない。添付の図面において、同様の符号は同様の構成要素を示している。
【００２１】
本明細書では、複数箇所において、「ある」、「一つの」、又は、「複数の」実施形態について言及される。これは、そのような参照が同一の実施形態であること、若しくは、特徴要件が単一の実施形態に適用されることを必ずしも示唆するものではない。つまり、異なる実施形態の一つの特徴は、他の実施形態に対して複合されるものである。
【００２２】
ここで用いられている「ある」、「一つの」、及び「その」という単数表記は、他の表記を伴わなくとも同時に複数表記も含むことを意図している。さらに、明細書中の「含む」、「備える」、「含んでいる」、「備えている」等の記載は、特徴、完成形、工程、操作、要素、及び／又は構成要素の存在を示すものであり、その他の一つ又は複数の特徴、完成形、工程、操作、要素、構成要素、及び／又はそれらの集合の存在又は追加を排除するものではない。ある要素が「接続される」又は「結合される」ものとして記載される場合、他の要素に直接的に接続又は結合されても良いし、さらに他の要素を介在させても良い。さらに、「接続される」又は「結合される」という記載は、動作的に行われるものも含んでいる。ここで用いられるように、「及び／又は」という記載は、一つ又は複数の関連する部材の任意の又は全ての組み合わせ及び配置を含んでいるものとする。
【００２３】
他の方法で定義されていない場合、技術用語及び科学用語を含む全ての用語は、本発明の属する分野の通常の知識を有する者が共通して理解される意味で用いられる。さらに、一般的な辞書での定義の用語は、関連した技術の文脈内での一貫した定義を有するものとして理解されるべきであり、ここで明確に定義されているにも関わらず、理想的な意味又は過度に形式張った意味として理解されるべきではない。
【００２４】
本発明は、自律走行車の誘導制御方法に関する。より詳しくは、機能的な操作を自律走行車自身で行う無人走行を容易化した自律走行型のロボットトラクタに関する。例えば、自律走行型のロボットトラクタは、無人走行を容易化するとともに、トラクタによる農作業を自律的に実行するものである。そのようなロボットトラクタの誘導の主たる目的は、一連の耕作作業を完全な自律操作で行うことであり、トラクタの位置を制御し、トラクタを予め定義された経路に従って（種々の作業を行いつつ）移動させることである。
実際の農業に適用する際には、異なる土壌条件及び異なる障害物が存在する耕作領域において横方向の偏差及び進行方向の偏差を低く抑える必要がある。自律操作の間には、オペレータは、耕作条件に基づいて速度及びヒッチ操作を変更することができる。
【００２５】
以下、図１から図３を参照して、本発明に係る自律走行車の一実施形態であるロボットトラクタ（以下、単に「トラクタ」）１、及び、トラクタ１の誘導制御を行う誘導制御システム２について説明する。トラクタ１は、無人で自律して走行可能かつ作業可能である。具体的には、トラクタ１は、誘導制御システム２による制御を受けて、所定の経路に沿って移動しつつ、経路上の所定箇所で作業を行う。
【００２６】
トラクタ１は、エンジン３を収容するボンネット４、及び、ボンネット４の後方に配置されるキャビン５を備える。キャビン５内には、運転席６と、その前方に配置されるダッシュボード７が設けられ、運転席６の周囲及びダッシュボード７には、ステアリングハンドル８、主変速レバー９、前後進切替レバー１０、昇降レバー１１、ＰＴＯ変速レバー１２等の操作具が設けられる。つまり、トラクタ１は、オペレータによる運転が可能な構成を有している。
【００２７】
運転席６の下方にミッションケース１５が配置される。エンジン３の動力がミッションケース１５内の変速装置１６により変速されて、フロントアクスル１７に支承される前輪１８及びリヤアクスル１９に支承される後輪２０、並びに、作業機２１を駆動するＰＴＯ軸に伝達される。作業機２１は、機体後部に三点リンク機構２２を介して装着されており、三点リンク機構２２の作動（ヒッチ操作）によって作業機２１を上下方向に移動可能、かつ、左右に傾斜可能に構成されている。
【００２８】
ロボットトラクタ１には、その運転を制御するための電子制御ユニット（ＥＣＵ）３０が搭載されている。ＥＣＵ３０には、エンジン３の回転数を検出する回転数センサ３１、後輪２０の回転数を検出する車速センサ３２、ステアリングハンドル８の回動角（つまり前輪１８の回動角）を検出する操舵角センサ３３、前後進切替レバー１０の操作位置を検出するポジションセンサ３４等のセンサ類が接続されており、これらのセンサによる検出値が検出信号に変換されてＥＣＵ３０に送信される。
また、ＥＣＵ３０には、エンジン３の回転数を制御するガバナ装置４０、トラクタ１の速度を制御する変速装置１６、トラクタ１の進行方向（操舵角）を制御する操向装置４１、三点リンク機構２２を制御する昇降装置４２等の各アクチュエータが接続されている。ＥＣＵ３０は、これらのアクチュエータの作動を制御することで、トラクタ１の運転を自動的に制御することが可能である。そして、ＥＣＵ３０は、誘導制御システム２を含むことで、誘導制御システム２に基づいたトラクタ１の自律運転を可能にしている。
【００２９】
トラクタ１のボンネット４の上面に衛星測位システムであるＧＮＳＳからの信号を受信するＧＮＳＳアンテナ５０が配置されている。ＧＮＳＳアンテナ５０は、測位衛星からの信号を受信することで、トラクタ１の位置を測位する。これとともに、ＧＮＳＳアンテナ５０は、ヘディングセンサを内蔵することでトラクタ１の向首角を同時に検出する。ＧＮＳＳアンテナ５０は、ＥＣＵ３０と接続されており、測位衛星からの検出信号をＥＣＵ３０に送信する。つまり、ＥＣＵ３０によって、トラクタ１の位置及び向首角が取得される。
なお、測位衛星を利用したＧＮＳＳシステムとしては、ＧＰＳ技術を活用した衛星測位システムが代表例として挙げられる。例えば、ＧＰＳ衛星を用いた測位に加えて、準天頂衛星、グロナス衛星等の他の衛星を用いたシステムを利用することも可能である、また、ＧＰＳ測位としては、単独測位、相対測位、ＤＧＰＳ測位、ＲＴＫ−ＧＰＳ測位等を採用することができる。
【００３０】
トラクタ１には、前方、側方、又は後方に障害物があるかどうかを検出する障害物センサ５１が取り付けられている。障害物センサ５１は、レーザセンサ、超音波センサ等によって構成され、トラクタ１の前方、側方、及び後方に存在する障害物を認識し、検出信号を生成する。また、トラクタ１は、前方、側方、及び後方を撮影するカメラ５２が取り付けられる。障害物センサ５１及びカメラ５２は、ＥＣＵ３０と接続されており、ＥＣＵ３０に検出結果を送信する。
【００３１】
トラクタ１の誘導制御システム２を遠隔操作によって制御する際には、タブレット５５等の無線機器が用いられる。タブレット５５からの制御信号は、トラクタ１のキャビン５の上面に配置されるアンテナ５６によって受信される。アンテナ５６は、ＥＣＵ３０と接続されており、制御信号をＥＣＵ３０に送信する。
【００３２】
図４は、自律誘導システムを構成する各モジュールの概略図を示す。本実施形態では、ＧＰＳが姿勢角度信号及びロボットトラクタバス上のＣＡＮメッセージフォーマット内で検出した位置信号を送信する。ＥＣＵ内のプラットフォームでＣＡＮ信号を受信し、それを物理信号に変換する。この物理信号は次に自律誘導モデルに伝送される。プラットフォームのソフトウェアは、フラッシュファイル内に存在し、実行時に自律誘導に関する詳細な静的パスを生成する静的パスデータを読み込む。
自律誘導モデルは、検出された信号及び静的パスデータに基づいて所望のコマンドを算出し、トラクタバスの操舵制御システムにコマンドを送信する。オペレータは、タブレット端末によって自律誘導モデルにロボットトラクタ上のオーバーライド制御信号を送信可能であり、それを受けた自律誘導モデルは、パスジオメトリに基づいてオーバーライド制御信号に応答する。このオーバーライド制御信号コマンドは、トラクタバスのＥＣＵによって送信される。
【００３３】
自律走行型のロボットトラクタの制御則は、横方向の位置偏差を低減すること、及び走行車の向首角（方位）を制御することを目的に設計されている。誘導システムは、ロボットトラクタが自律モードで作業することを容易化するものである。
【００３４】
［１．トラクタの傾きに起因する位置ズレ補正］
ＧＮＳＳアンテナは、トラクタの上面に配置されている。これにより、走行車の傾きに起因して検出位置にズレが生じる。この位置ズレは、次の数式を用いた姿勢角度補正によって補正される。
【数１】
2016178294.tif 000003
【００３５】
［２．トラクタ走行］
トラクタ走行のアルゴリズムによって、誘導システムは、読み込まれた静的パスデータに基づいた走行車の走行を容易に追跡することができる。経路の追跡方法は、直線経路と曲線経路との間で異なっている。それは、曲線経路における走行では走行車の向首角の影響が重要となるが、直線経路における走行ではラテラル制御が優先されるためである。
【００３６】
［測地からＮＥＤ座標系への変換］
測地座標系の緯度、経度、高度で検出されるトラクタの位置、及び、走行車の静的パスの位置データが地平直交座標系であるＮＥＤ座標系に変換される。ＮＥＤ座標データは、位置偏差及び向首角偏差を算出するために用いられる。
【００３７】
図５は、直線経路中の自律走行車の軌道を示すグラフである。この場合の誘導方法は、目標とするヨーレートがＬＯＳレートをゼロにすることで引き出されるように、主に並行走行に基づいて行われる。ＬＯＳレートをゼロにするために、走行車はＬＯＳベクトル内で走行する必要がある。
【００３８】
図６は、曲線経路中の自律走行車の軌道を示すグラフである。ヘディング制御では、目標とする向首角が、並行走行方式ではなくパスジオメトリから引き出される。
【００３９】
経路追跡のアルゴリズムは、現在のトラクタの位置に基づいて、以下の（１）から（４）に示す情報を静的パスから抜き取り、抜き取った情報を他の誘導モジュールに提供するものである。
（１）目標パスデータ、旋回角、始動点及び停止点
（２）作業領域（耕作領域）及び枕地領域
（３）運転状況（直進、旋回等）
（４）前進移動又は後進移動
上記情報は、自律した機能的作業、及び、異なる誘導フェーズを制御する制御モジュールに用いられる。
【００４０】
図７は、後進移動時の自律走行車の軌道を示すグラフである。本実施形態では、目標の向首角及び横方向の偏差は、後進移動時の実施形態に対して示されている。
【００４１】
［３．ＮＥＤ座標系からトラクタ本体への変換］
位置偏差は、オイラー角を用いて、ローカルの本体フレームに変換される。これにより、グローバル座標系での走行車走行の制御を簡単にし、かつ、精確にできる。
【００４２】
［４．制御方法］
図８は、全体的な制御方法のブロック図である。本実施形態での発展した制御則は、フィードバック制御ループ及びフィードフォワード制御ループを伴うカスケード制御システムである。
【００４３】
［フィードバック制御］
走行車の向首角の偏差だけでなく横方向の偏差を改善するために、ラテラル制御は、アウターループ内でヘディング制御と並行して実行されるように設計される。ヨーレート制御は、操舵レートを取得し、全体的な誘導システムのロバスト性を向上するために、インナーループ内で実行される。このインナーループ制御は、土壌の起伏、センサーノイズ、電子油圧制御の操舵システムの非線形性等の種々の外乱から影響を受けるシステムの感度を制御する。
【００４４】
［ラテラル制御］
横方向の偏差（Ｙｅｒｒｏｒ）は、予め定義されたパスからトラクタまでの最小距離で算出される。ラテラル制御では、横方向の偏差は、ＮＥＤフレーム内で算出され、コマンドとして本体フレームに変換される。つまり、横方向の偏差は、本体Ｙフレーム内でのものとして扱われる。
【００４５】
［ヘディング制御］
ヘディング制御では、向首角の偏差を制御する。向首角の偏差は、目標向首角と実際のトラクタの向首角との差として算出される。ヘディング制御は、曲線経路走行中に優先される。
【００４６】
［ヨーレート制御］
ヨーレート制御は、インナーループ内で実行される。そして、アウターループコントローラの出力、つまり横方向の偏差及び向首角は、算出されたヨーレートの参照入力値と比較される。ヨーレート制御の出力は、操舵システムに入力される操舵レートのコマンドである。
【００４７】
ラテラル制御、ヘディング制御、及び、ヨーレート制御の制御則は、ＰＤ制御システムである。
【数２】
2016178294.tif 000004
【００４８】
［フィードフォワード制御システム］
図９は、曲線経路の不連続性に起因してパスから脱線した際の軌道を示す。曲線経路の不連続性は、直線部分と曲線部分の接続箇所に存在し、これにより、走行車がパスから外れることとなる。フィードバック制御に加えて、フィードフォワードコントローラは、直線から曲線及び曲線から直線へのパスの遷移中のシステムのオーバーシュートを排除するように設計される。フィードフォワード制御は、旋回角及び速度に関する機能である。
【００４９】
［コントロールゲインのスケジューリング］
コントロールゲインのスケジューリングは、外乱に対するシステムの安定性を最適化し、エラーを低減するために実行されている。コントロールゲインは、走行車の速度に関する機能に特化している。
【００５０】
［５．ＧＮＳＳアンテナ位置補正］
図１０は、ＧＮＳＳアンテナ位置の補正の様子を示す。これは、自律走行車の誘導制御を実現する際に重要な特徴である。アンテナ位置が重要な役割を果たすときは、過渡的なフェーズである。つまり、ＧＮＳＳアンテナがトラクタの前部に配置されている場合、横方向の偏差はより早く検出される。これにより、システム遅れを減らし、全体的な過渡応答特性を向上することができる。
しかしながら、後進制御時には、横方向の偏差は、トラクタの後部と比較して遅く検出される。このため、過渡応答を向上することを目的として、ＧＮＳＳアンテナの位置での横方向の偏差（Ｌ１）、及び、向首角の偏差に基づいて、後部位置における横方向の偏差（Ｌ２）を算出する。つまり、トラクタの後部位置を仮想アンテナ位置として設定し、後進制御を行うことで過渡応答を向上している。
【００５１】
［６．誘導フェーズ］
あらゆる圃場及び種々の作業に対する自律的な操作を実現するために、異なる誘導フェーズが必要となる。その誘導フェーズには、次に示す制御方法が用いられる。
（１）直進
直進制御フェーズでは、インナーループ制御でヨーレート制御が行われる間、アウターループ制御でラテラル制御及びヘディング制御が行われる。ヘディング制御は、パスジオメトリに基づいた目標向首角を入力とする。
（２）旋回
旋回制御フェーズでは、アウターループ制御で、ラテラル制御、ヘディング制御及びフィードフォワード制御が行われ、インナーループ制御でヨーレート制御が行われる。ヘディング制御は、パスジオメトリに基づいた目標向首角を入力とする。
（３）後進移動
後進制御フェーズでは、後方への移動が始まる前に、操舵角がゼロとなるように第一の操舵角制御が行われる。後進制御では、横方向の偏差は、前輪ではなく後輪位置で算出される。
【００５２】
［７．自律的な機能操作］
自律誘導システムは、次に示す機能操作を行う。
（１）耕作領域、非耕作領域の何れか、読み込まれた静的パス、及び、走行車の位置データに基づいた自律的なヒッチ操作及びＰＴＯ操作。
（２）自律モードは、トラクタが始点にいない場合には始められない。この機能では、ＥＣＵ内で予め定義された静的パスの始点に対するロボットトラクタの姿勢の偏りに従って、実際の位置を確認することが求められる。
（３）このシステムでは、パスの偏差（横方向の偏差及び向首角の偏差）が所定値を超えないことが求められる。仮に、この所定値を超えた場合は、自律モードが停止される。
（４）ロボットトラクタの自律モードは、耕作の終点で終了する。これは、保存された走行パスに関する情報及びトラクタの実際の位置に基づいて実現される。
（５）センサ（障害物センサ又はカメラ）によって障害物が検出された場合も、自律操作を終了する。
【００５３】
［８．オーバーライド制御操作］
自律操作の間、ユーザーは、パスジオメトリに基づいてオーバーライド制御を決定する誘導に応じて、タブレットのような遠隔操作を用いて次の制御信号を変更することができる。また、遠隔操作によりトラクタを停止させた後は、その位置から再開可能である。
（１）作業領域及び枕地領域におけるトラクタの速度
（２）作業領域及び枕地領域におけるヒッチ操作及びＰＴＯ操作
【００５４】
図１１は、本発明の実施形態におけるＧＮＳＳアンテナの位置補正のフローチャートを示す。ステップ８０２において、後進フラグが立ったかどうか確認される。後進フラグが立ったときは、ステップ８０４において、目標の向首角（Ψｐａｔｈ）が算出される。ステップ８０６において、向首角の偏差（Ψｅｒｒｏｒ＝Ψｐａｔｈ−Ψｍ）が算出される。ステップ８０８において、アンテナ位置とトラクタのリヤアクスルの位置との距離（Ｗｂ）が決定される。ステップ８１０において、アンテナ位置での目標経路（ｌｄ）との横方向の偏差が決定される。ステップ８１２において、リヤアクスル位置での横方向の偏差（ｌｄ＿ｒｅａｒ  ａｘｌｅ）が決定される。
ステップ８０２において、後進フラグが立たない場合、ステップ８１４において、横方向の偏差は、アンテナ位置での目標経路（ｌｄ）との距離として決定される。
なお、後進制御に関する他の実施形態では、リヤアクスル位置での横方向の偏差を用いてラテラル制御を行うこともできる。
【００５５】
［別実施形態］
次に、図１２から図１６を参照して、［５．ＧＮＳＳアンテナの位置補正］に関する別実施形態について説明する。本実施形態は、ＧＮＳＳアンテナ５０をトラクタ１の中央部又は後部に配置する例を示しており、ＧＮＳＳアンテナ５０をトラクタ１の前部に配置してない構成に関するものである。
図１２は、ＧＮＳＳアンテナ５０をトラクタ１のキャビン５の前端に配置した例を示し、図１６は、キャビンを有しないトラクタ６０の後端のロールバー６１にＧＮＳＳアンテナ５０を配置した例を示す。
【００５６】
図１２に示すように、ＧＮＳＳアンテナ５０は、トラクタ１のキャビン５の前端に配置されている。ＧＮＳＳアンテナ５０をキャビン５の上面に配置することにより、トラクタ１の振動をＧＮＳＳアンテナ５０に伝達しにくいという効果を奏する。また、トラクタ１の最も高い位置にＧＮＳＳアンテナ５０を配置することで、受信感度を向上できる。
【００５７】
図１３は、ＧＮＳＳアンテナ位置の補正の様子を示す。本実施形態では、後進制御時に進行方向（後方）に仮想アンテナ位置を設定するだけでなく、前進制御時にも進行方向（前方）に仮想アンテナ位置を設定することで、アンテナ位置の補正を行い、ラテラル制御が行われる。
（１）前進制御
前進移動時は、ＧＮＳＳアンテナ位置での横方向の偏差（Ｌ１）、及び、向首角の偏差（θ）に基づいて、ＧＮＳＳアンテナからトラクタ前方に向けて所定距離（Ｗｃ）進めた位置での横方向の偏差（Ｌ３）を算出する。つまり、仮想アンテナ位置を進行方向に向けて進めた位置に配置して前進制御を行うことで、さらなる過渡応答の向上を図っている。
（２）後進制御
後進移動時は、ＧＮＳＳアンテナ位置での横方向の偏差（Ｌ１）、及び、向首角の偏差（θ）に基づいて、ＧＮＳＳアンテナからトラクタ後方に向けて所定距離（Ｗｃ）進めた位置での横方向の偏差（Ｌ３）を算出する。つまり、仮想アンテナ位置を進行方向に向けて進めた位置に配置して後進制御を行うことで、さらなる過渡応答の向上を図っている。
【００５８】
図１４は、本発明の別実施形態におけるＧＮＳＳアンテナの位置補正のフローチャートを示す。ステップ９０４において、目標の向首角（Ψｐａｔｈ）が算出される。ステップ９０６において、向首角の偏差（Ψｅｒｒｏｒ＝Ψｐａｔｈ−Ψｍ）が算出される。ステップ９０８において、アンテナ位置と仮想アンテナ位置との距離（Ｗｃ）が決定される。ステップ９１０において、アンテナ位置での目標パス（ｌｄ）との横方向の偏差が決定される。ステップ９１２において、仮想アンテナ位置での横方向の偏差（ｌｄ＿ｖｉｒｔｕａｌ）が決定される。
以上のように、本実施形態では、前進制御と後進制御で同様のフローに従ってＧＮＳＳアンテナの位置補正が行われる。
【００５９】
図１５は、ＧＮＳＳアンテナ位置の補正の様子を示す。本実施形態では、後進制御時に進行方向（後方）に仮想アンテナ位置を設定するだけでなく、前進制御時にも進行方向（前方）に仮想アンテナ位置を設定することで、アンテナ位置の補正を行い、ラテラル制御が行われる。
（１）前進制御
前進移動時は、ＧＮＳＳアンテナ位置での横方向の偏差（Ｌ１）、及び、向首角の偏差（θ）に基づいて、ＧＮＳＳアンテナからトラクタ前方に向けて所定距離（Ｗｃ）進めた位置での横方向の偏差（Ｌ３）を算出する。つまり、仮想アンテナ位置を進行方向に向けて進めた位置に配置して前進制御を行うことで、さらなる過渡応答の向上を図っている。
（２）後進制御
後進移動時は、ＧＮＳＳアンテナ位置での横方向の偏差（Ｌ１）、及び、向首角の偏差（θ）に基づいて、ＧＮＳＳアンテナからトラクタ後方に向けて所定距離（Ｗｄ）進めた位置での横方向の偏差（Ｌ４）を算出する。つまり、仮想アンテナ位置を進行方向に向けて進めた位置に配置して後進制御を行うことで、さらなる過渡応答の向上を図っている。
本実施形態では、前進制御時と後進制御時において進行方向に進める距離が異なっている。このように、前進制御と後進制御において、仮想アンテナの設置位置を変えることで、前進制御及び後進制御における最適な仮想アンテナ位置を設定することができ、横方向の偏差（Ｌ３、Ｌ４）を検出する感度を向上することができる。
【００６０】
図１６に示すように、自律走行車の一実施形態であるロボットトラクタ６０は、キャビン５を有していない点でロボットトラクタ１と違っているが、その他は同様の構成を有する。そして、ＧＮＳＳアンテナ５０は、ロボットトラクタ６０の後端に配置されるロールバー６１の上面に配置される。また、受信アンテナ５６は、例えばダッシュボード７に設けられる。
この場合も同様にＧＮＳＳアンテナの位置補正を行うことで、同様の作用効果を奏する。なお、ロボットトラクタ６０において、ＧＮＳＳアンテナ５０は機体後方に配置されていることから、前進移動時にのみＧＮＳＳアンテナの位置補正を行う構成としても良い。つまり、前進制御において、仮想アンテナ位置を設置する一方で、後進制御においては、実際のアンテナ位置を用いて制御を行う構成としても良い。
【００６１】
本発明は、予め決定された経路追従（種々の旋回を含む）における安定性を維持することで、例えば所定の位置精度範囲内の偏差制限内での自律走行車の誘導に含まれている課題を解決する。
【００６２】
従来技術では、誘導システムは、異なる誘導フェーズに対応しておらず、後進制御時のＧＮＳＳアンテナの位置補償を重視していなかったため、複合的な制御はなされていなかった。また、従来のラテラル制御は、ボディフレーム内のコマンドを算出していなかった。さらには、従来の概念では、トラクタ内にオペレータがいない状態での安定した自律作業を維持しつつ、異なった圃場サイズ及び形状に対して様々な自律作業を行うことはできなかった。
【００６３】
本発明による技術思想は、ヘディング制御及び修正されたラテラル偏差制御を（並列で）行う複合制御をアウターループ制御で行い、ヨーレート制御をインナーループ制御で行うことである。本発明の制御設計では、ヨーレート制御は、操舵角よりも操舵角速度について行われる。より進化した制御設計によって、走行車の位置及び向首角の偏差を低減すること、並びに、地上の外乱が存在する中、土壌条件が異なる中、操舵システムの非線形性が存在する中でのシステムの安定性を維持することが可能である。
走行車の位置精度が高いレベルで求められることで、ロボットトラクタの制御を煩雑化している。そして、適切なゲインスケジューリング技術を伴う新たに設計された制御則によって、そのような煩雑さを解消し、所望の制約を実現できる。
【００６４】
本発明では、誘導システムは、圃場における自律作業が静的パスに対する自律作業始動条件を満たすか否かを判別することで始動される。自律モードでは、静的パスの終点（耕作完了点）で停止することで、トラクタが圃場外に出ることを防止している。誘導システムは、圃場が異なるサイズ又は形状を有する場合にも様々な自律作業を行うことを可能にし、継続してトラクタの偏差を監視し、大きな偏差が生じた場合にトラクタを停止することで、安全性を確保している。
本発明では、トラクタ内にオペレータが常駐することが必要不可欠ではなく、それにより、ユーザーは、離れた位置でタブレット等の遠隔操作具を用いて自律作業を監視し、トラクタの速度を制限範囲内で変更し、ヒッチ作業を操作することができる。遠隔操作によりトラクタを停止した後、その停止位置から自律作業を再開することができる。
【００６５】
本実施形態で説明された誘導制御は、包括的なものであり、自律的な農作業に限定されることなく、自律的な乗用車等に適用することも可能である。
【００６６】
図面及び明細書に記載された事項と同等の関連性を有するものは、本発明に含まれるものである。本発明の実施形態に示されるものは例示であり、本発明の利用可能性を制限するものではない。当業者は、本発明から逸脱しない範囲で、具体的な実施形態に対する種々の修正及び代替について、開示された内容によって示唆される全ての範囲において改良することができる。
【００６７】
自律走行車の誘導制御システム及び方法に関する本発明は、添付の図面に示された本発明の実施形態と関連させて説明されているが、これらに限定されることはない。すなわち、当業者による種々の代替、改良、変更は、本発明の範囲及び思想を逸脱しない範囲で誘導制御システムに対して適用可能である。
【産業上の利用可能性】
【００６８】
本発明は、自律走行車を目標経路に沿って走行させる誘導制御方法に利用可能である。
【符号の説明】
【００６９】
１：ロボットトラクタ（自律走行車）、２：誘導制御システム、５：キャビン、２１：作業機、５０：ＧＮＳＳアンテナ（衛星測位システムのアンテナ）、５５：タブレット  
【図１】
2016178294.tif 000005
【図２】
2016178294.tif 000006
【図３】
2016178294.tif 000007
【図４】
2016178294.tif 000008
【図５】
2016178294.tif 000009
【図６】
2016178294.tif 000010
【図７】
2016178294.tif 000011
【図８】
2016178294.tif 000012
【図９】
2016178294.tif 000013
【図１０】
2016178294.tif 000014
【図１１】
2016178294.tif 000015
【図１２】
2016178294.tif 000016
【図１３】
2016178294.tif 000017
【図１４】
2016178294.tif 000018
【図１５】
2016178294.tif 000019
【図１６】
2016178294.tif 000020
【図１７】
2016178294.tif 000021
【国際調査報告】
2016178294.tif 000022
2016178294.tif 000023